【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  撮像手段と、
前記撮像手段より出力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記前記記録開始の指示より後における前記ピクチャグループの構成と前記記録開始の指示以前における前記ピクチャグループの構成とを異ならせるよう前記符号化手段を制御する制御手段とを備える撮像装置。
【請求項２】  撮像手段と、
前記撮像手段より出力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後におけるピクチャグループ内の前記フレーム内符号化ピクチャの数を前記記録開始の指示の前におけるピクチャグループ内の前記フレーム内符号化ピクチャの数よりも少なくするよう前記符号化手段を制御する制御手段とを備えた撮像装置。
【請求項３】  撮像手段と、
前記撮像手段より出力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後におけるピクチャグループ内の前記フレーム内符号化ピクチャの割合を前記記録開始の指示の前におけるピクチャグループ内の前記フレーム内符号化ピクチャの割合よりも少なくするよう前記符号化手段を制御する制御手段とを備えた撮像装置。
【請求項４】  前記制御手段は更に、前記記録開始の指示より後においては一つのピクチャグループ内に１フレームの前記フレーム内符号化ピクチャを挿入し、前記記録開始の指示の前においては一つのピクチャグループ内に複数フレームの前記フレーム内符号化ピクチャを挿入するよう前記符号化手段を制御することを特徴とする請求項２または３記載の撮像装置。
【請求項５】  撮像手段と、
前記撮像手段より出力された動画像信号をフレーム内符号化方式とフレーム間符号化方式とを用いて符号化し、前記フレーム内符号化されたフレーム内符号化ピクチャと前記フレーム間符号化されたフレーム間符号化ピクチャとを周期的に組み合わせて符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後において前記フレーム内符号化ピクチャを挿入する周期を前記記録開始の指示の前において前記フレーム内符号化ピクチャを挿入する周期よりも長くするよう前記符号化手段を制御する制御手段とを備える撮像装置。
【請求項６】  撮像手段と、
前記撮像手段より出力された動画像信号の各フレームをそれぞれ所定数の画素からなる複数のブロックに分割すると共に、前記ブロック毎にフレーム内符号化方式とフレーム間符号化方式とを切り替えながら符号化し、符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後における前記フレーム内符号化ブロックの割合を前記記録開始の指示の前における前記フレーム内符号化ブロックの割合よりも少なくするよう前記符号化手段を制御する制御手段とを備える撮像装置。
【請求項７】  動画像信号を入力する入力手段と、
撮像手段と、
前記入力手段により入力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記前記記録開始の指示より後における前記ピクチャグループの構成と前記記録開始の指示以前における前記ピクチャグループの構成とを異ならせるよう前記符号化手段を制御する制御手段とを備える記録装置。
【請求項８】  動画像信号を入力する入力手段と、
前記入力手段により入力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後におけるピクチャグループ内の前記フレーム内符号化ピクチャの数を前記記録開始の指示の前におけるピクチャグループ内の前記フレーム内符号化ピクチャの数よりも少なくするよう前記符号化手段を制御する制御手段とを備えた記録装置。
【請求項９】  動画像信号を入力する入力手段と、
前記入力手段により入力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後におけるピクチャグループ内の前記フレーム内符号化ピクチャの割合を前記記録開始の指示の前におけるピクチャグループ内の前記フレーム内符号化ピクチャの割合よりも少なくするよう前記符号化手段を制御する制御手段とを備えた記録装置。
【請求項１０】  動画像信号を入力する入力手段と、
前記入力手段により入力された動画像信号をフレーム内符号化方式とフレーム間符号化方式とを用いて符号化し、前記フレーム内符号化されたフレーム内符号化ピクチャと前記フレーム間符号化されたフレーム間符号化ピクチャとを周期的に組み合わせて符号化画像信号を生成する符号化手段と、
前記符号化手段により生成された符号化画像信号を記録媒体に記録する記録手段と、
前記符号化手段により生成された符号化画像信号を符号化された状態で外部装置に送信する送信手段と、
前記送信手段による前記符号化画像信号の送信中における前記動画像信号の記録開始の指示に応じて、前記記録開始の指示に対応したフレームの画像信号から記録を開始するよう前記記録手段を制御すると共に、前記記録開始の指示より後において前記フレーム内符号化ピクチャを挿入する周期を前記記録開始の指示の前において前記フレーム内符号化ピクチャを挿入する周期よりも長くするよう前記符号化手段を制御する制御手段とを備える記録装置。
【請求項１１】  動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループからなる符号化画像信号を生成する符号化ステップと、
前記符号化ステップにより生成された符号化画像信号を記録媒体に記録する記録ステップと、
前記符号化ステップにより生成された符号化画像信号を符号化された状態で外部装置に送信する送信ステップと、
前記符号化画像信号の送信中における前記動画像信号の記録開始の指示に応じて、前記記録開始の指示に対応したフレームの画像信号から記録を開始するよう前記記録ステップを制御すると共に、前記前記記録開始の指示より後における前記ピクチャグループの構成と前記記録開始の指示の前における前記ピクチャグループの構成とを異ならせるよう前記符号化ステップを制御する制御ステップとを有する記録方法。
【請求項１２】  動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化ステップと、
前記符号化ステップにより生成された符号化画像信号を記録媒体に記録する記録ステップと、
前記符号化ステップにより生成された符号化画像信号を符号化された状態で外部装置に送信する送信ステップと、
前記前記符号化画像信号の送信中における前記動画像信号の記録開始の指示に応じて、前記記録開始の指示に対応したフレームの画像信号から記録を開始するよう前記記録手段を制御すると共に、前記記録開始の指示より後におけるピクチャグループ内の前記フレーム内符号化ピクチャの数を前記記録開始の指示の前におけるピクチャグループ内の前記フレーム内符号化ピクチャの数よりも少なくするよう前記符号化ステップを制御する制御ステップとを有する記録方法。
【請求項１３】  動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化ステップと、
前記符号化ステップにより生成された符号化画像信号を記録媒体に記録する記録ステップと、
前記符号化ステップにより生成された符号化画像信号を符号化された状態で外部装置に送信する送信ステップと、
前記前記符号化画像信号の送信中における前記動画像信号の記録開始の指示に応じて、前記記録開始の指示に対応したフレームの画像信号から記録を開始するよう前記記録手段を制御すると共に、前記記録開始の指示より後におけるピクチャグループ内の前記フレーム内符号化ピクチャの割合を前記記録開始の指示の前におけるピクチャグループ内の前記フレーム内符号化ピクチャの割合よりも少なくするよう前記符号化ステップを制御する制御ステップとを有する記録方法。
【請求項１４】  動画像信号をフレーム内符号化方式とフレーム間符号化方式とを用いて符号化し、前記フレーム内符号化されたフレーム内符号化ピクチャと前記フレーム間符号化されたフレーム間符号化ピクチャとを周期的に組み合わせて符号化画像信号を生成する符号化ステップと、
前記符号化ステップにより生成された符号化画像信号を記録媒体に記録する記録ステップと、
前記符号化ステップにより生成された符号化画像信号を符号化された状態で外部装置に送信する送信ステップと、
前記前記符号化画像信号の送信中における前記動画像信号の記録開始の指示に応じて、前記記録開始の指示に対応したフレームの画像信号から記録を開始するよう前記記録ステップを制御すると共に、前記記録開始の指示より後において前記フレーム内符号化ピクチャを挿入する周期を前記記録開始の指示以前において前記フレーム内符号化ピクチャを挿入する周期よりも長くするよう前記符号化ステップを制御する制御ステップとを有する記録方法。
【手続補正２】
【補正対象書類名】明細書
【補正対象項目名】０００４
【補正方法】変更
【補正の内容】
【０００４】
図６は、符号化部８０２から出力される、符号化データの構成例を示す図である。図において、９１０、９３０はフレーム内符号化されたＩピクチャ、９１１〜９２１、９３１〜９４１はフレーム間符号化されたピクチャであり、フレーム間順方向予測符号化画像であるＰピクチャおよび、フレーム間双方向予測符号化画像Ｂピクチャからなる。これらのピクチャは、各々が所定のピクチャ数及び種別を有するピクチャグループ９０１〜９０７にまとめて出力される。一つのピクチャグループには少なくとも１つのＩピクチャが含まれ、Ｉピクチャの情報を元に他のフレーム間符号化されたピクチャが再生される。
【手続補正３】
【補正対象書類名】明細書
【補正対象項目名】０００６
【補正方法】変更
【補正の内容】
【０００６】
このような撮像装置において、ストリーム出力端子５０６から符号化された映像を送信している最中に、記録媒体５０４への記録開始が指示された場合、例えば、図６におけるタイミングＴ、即ちピクチャグループ９０３内のピクチャ９１５に相当するタイミングで記録開始が指示された場合を考える。
【手続補正４】
【補正対象書類名】明細書
【補正対象項目名】０００７
【補正方法】変更
【補正の内容】
【０００７】
この場合、記録媒体５０４には、ピクチャグループ９０３の途中、フレーム間符号化ピクチャ９１５からデータの保存が開始される。図６に示したピクチャグループでは、各グループ一つのＩピクチャが先頭に含まれている構成であるため、途中から記録されたピクチャグループ９０３には、フレーム内符号化されたＩピクチャ９１０が記録されず欠落している。そのため、同グループ内に含まれる、フレーム間符号化されたピクチャ９１５〜９２１は正常に記録されているにもかかわらず正しく復号できない。
【手続補正５】
【補正対象書類名】明細書
【補正対象項目名】００１３
【補正方法】変更
【補正の内容】
【００１３】
【課題を解決するための手段】
この様な目的を達成するため、本発明にあっては、撮像手段と、前記撮像手段より出力された動画像信号をフレーム内符号化方式とフレーム間符号化方式とを用いて符号化し、それぞれ前記フレーム内符号化されたフレーム内符号化ピクチャと前記フレーム間符号化されたフレーム間符号化ピクチャとを含むｎフレーム（ｎは２以上の整数）の画像信号からなる複数のピクチャグループから構成される符号化画像信号を生成する符号化手段と、前記符号化手段により生成された符号化画像信号を記録媒体に記録する記録手段と、前記符号化手段により生成された符号化画像信号を符号化された状態で外部装置に送信する送信手段と、前記送信手段による前記符号化画像信号の送信中における前記動画像信号の記録開始の指示に応じて、前記記録開始の指示に対応したフレームの画像信号から記録を開始するよう前記記録手段を制御すると共に、前記前記記録開始の指示より後における前記ピクチャグループの構成と前記記録開始の指示以前における前記ピクチャグループの構成とを異ならせるよう前記符号化手段を制御する制御手段とを備える構成とした。